(57)【要約】【課題】  従来の石除去機は、入口樋と出口樋を有する外装樋に分離機体を回転自在に設け、分離機体内には隔壁をもってくみ取り式保水槽を設け、くみ取り式保水槽の回転方向側に石砂用ますを設けるなどして、石砂が混入している根菜類を流送水を介して供給することで分離しようとするものが提供されている。しかし、価格が高価である、据付面積を広くとり設置が難しいなどの問題がある。【解決手段】  流水送溝内を流水によって移動する原料芋に対して、流水送溝の下面に設けたマンホールより水を吹き上げ、これにより原料芋と石、土砂、鉄片などの比重の重いものを分離するものである。【選択図】  図１
2005095756.tif 000002
【特許請求の範囲】
【請求項１】
流水送溝内を流水によって移動する原料芋に対して、流水送溝の下面に設けたマンホールより水を吹き上げ、これにより原料芋と石、土砂、鉄片などの比重の重いものを分離し、原料芋をそのまま流水によって移動させ、石、土砂、鉄片などの比重の重いものをマンホールより落下させるよう構成されていることを特徴とする石除去方法。
【請求項２】
石除去機用ケース部（１）と、流水路部（２）と、吹き上げ水供給部（３）と、掻き取りチェーン部（４）から構成され、
石除去機用ケース部（１）は、上方ケース（１Ａ）と、上方ケース（１Ａ）の下辺に連設された下方ケース（１Ｂ）から構成され、上方ケース（１Ａ）は、壁をもって平面前後方向に長い方形に連結され、下方ケース（１Ｂ）は、後方下壁（１Ｂ１）と、底板（１Ｂ２）と、左右の側壁（１Ｂ３、１Ｂ４）から構成されていると共に、底板（１Ｂ２）には、前上方に向け連設された前方傾斜底板（１Ｂ２２）が設けられ、
流水路部（２）は、流水路本体（２Ａ）と、石等落下用マンホール（２Ｂ）から構成され、流水路本体（２Ａ）は、流水路体（２Ａ１）で構成され、流水路体（２Ａ１）は、断面上向きコ字状に構成されていると共に、当該流水路本体は、下方ケース（１Ｂ）の左右の壁（１Ａ３、１Ａ４）を左右方向に貫通する状態で取付けられ、石等落下用マンホール（２Ｂ）は、流水路本体（２Ａ）の底板（２Ａ１１）に平面方形の開口として構成され、  吹き上げ水供給部（３）は、水門仕切り板部（３Ａ）と吹き上げ水用パイプ（３Ｂ）から構成され、水門仕切り板部（３Ａ）は、石除去機用ケース部（１）における後方位置をもって、左右の壁（１Ａ３、１Ａ４）及び左右の側壁（１Ｂ３、１Ｂ４）間に張設された縦板（３Ａ１）で構成され、吹き上げ水用パイプ（３Ｂ）は、所定寸法のパイプで構成され、石除去機用ケース部（１）内に水門仕切り板部（３Ａ）より後方位置をもって上方から挿入配設され、
掻き取りチェーン部（４）は、石除去機用ケース部（１）内に配設されたスクレーパ（４Ｄ１）を有するチェーンコンベヤ（４Ｄ）により当該石除去機用ケース部内に散在する石等を上方に掻き揚げ落ち口より排出するよう構成されていることを特徴とする石除去機。
【請求項３】
石除去機用ケース部（１）と、流水路部（２）と、吹き上げ水供給部（３）と、掻き取りチェーン部（４）から構成され、
石除去機用ケース部（１）は、上方ケース（１Ａ）と、上方ケース（１Ａ）の下辺に連設された下方ケース（１Ｂ）から構成され、上方ケース（１Ａ）は、壁をもって平面前後方向に長い方形に連結され、下方ケース（１Ｂ）は、後方下壁（１Ｂ１）と、底板（１Ｂ２）と、左右の側壁（１Ｂ３、１Ｂ４）から構成されていると共に、底板（１Ｂ２）には、前上方に向け連設された前方傾斜底板（１Ｂ２２）が設けられ、
流水路部（２）は、流水路本体（２Ａ）と、石等落下用マンホール（２Ｂ）と、マンホール開閉スライド板（２Ｃ）と、石等飛散防止具（２Ｄ）から構成され、流水路本体（２Ａ）は、流水路体（２Ａ１）と、流路規制具（２Ａ２）からなり、流水路体（２Ａ１）は、断面上向きコ字状に構成されていると共に、当該流水路本体は、下方ケース（１Ｂ）の左右の壁（１Ａ３、１Ａ４）を左右方向に貫通する状態で取付けられ、流路規制具（２Ａ２）は、流水路体（２Ａ１）の内周面の下端に左右方向をもって添着された横角柱（２Ａ２１）の左端部分を先細に構成すると共に、横角柱（２Ａ２１）の上面は断面三角状に構成され、石等落下用マンホール（２Ｂ）は、流水路本体（２Ａ）の底板（２Ａ１１）に平面前後に長い方形の開口として構成され、マンホール開閉スライド板（２Ｃ）は、流水路本体（２Ａ）の底板（２Ａ１１）上に板をスライド自在に配設して構成され、石等飛散防止具（２Ｄ）は、流水路部（２）の下面に石等落下用マンホール（２Ｂ）を挟んで垂下された左右の縦板（２Ｄ１）で構成され、
吹き上げ水供給部（３）は、水門仕切り板部（３Ａ）と吹き上げ水用パイプ（３Ｂ）から構成され、水門仕切り板部（３Ａ）は、石除去機用ケース部（１）における後方位置をもって、左右の壁（１Ａ３、１Ａ４）及び左右の側壁（１Ｂ３、１Ｂ４）間に昇降自在に張設された縦板（３Ａ１）で構成され、吹き上げ水用パイプ（３Ｂ）は、所定寸法のパイプで構成され、石除去機用ケース部（１）内に水門仕切り板部（３Ａ）より後方位置をもって上方から挿入配設され、
掻き取りチェーン部（４）は、石除去機用ケース部（１）内に配設されたスクレーパ（４Ｄ１）を有するチェーンコンベヤ（４Ｄ）により当該石除去機用ケース部内に散在する石等を上方に掻き揚げ落ち口より排出するよう構成されていることを特徴とする石除去機。
【請求項４】
石除去機用ケース部（１）と、流水路部（２）と、吹き上げ水供給部（３）と、掻き取りチェーン部（４）から構成され、
石除去機用ケース部（１）は、上方ケース（１Ａ）と、上方ケース（１Ａ）の下辺に連設された下方ケース（１Ｂ）から構成され、上方ケース（１Ａ）は、前後の壁（１Ａ１、１Ａ２）と左右の壁（１Ａ３、１Ａ４）が平面前後方向に長い方形に連結され、下方ケース（１Ｂ）は、後方下壁（１Ｂ１）と、底板（１Ｂ２）と、左右の側壁（１Ｂ３、１Ｂ４）から構成され、後方下壁（１Ｂ１）は、後の壁（１Ａ２）の下辺に連結垂下された縦長の板で構成され、底板（１Ｂ２）は、後方下壁の下端に連設された後方水平底板（１Ｂ２１）と、後方水平底板の先端に斜め前上方に向け連設された前方傾斜底板（１Ｂ２２）から構成され、前方傾斜底板の上端は、上方ケース（１Ａ）における左右の壁（１Ａ３、１Ａ４）の下辺に、当該上方ケースの前方に落ち口（１Ｂ５）を形成する状態で連結され、左右の側壁（１Ｂ３、１Ｂ４）は、側面略三角状の板で構成され、後方下壁（１Ｂ１）と底板（１Ｂ２）に張設され、下方ケース（１Ｂ）には、底板（１Ｂ２）における後方水平底板（１Ｂ２１）と前方傾斜底板（１Ｂ２２）との接点を通る仮想垂直線（Ｓ）を中心に前方下方ケース（Ｓ１）と後方下方ケース（Ｓ２）が形成され、
流水路部（２）は、流水路本体（２Ａ）と、石等落下用マンホール（２Ｂ）と、マンホール開閉スライド板（２Ｃ）と、石等飛散防止具（２Ｄ）から構成され、この流水路部（２）には、流水送溝（５）が連結され、流水路本体（２Ａ）は、流水路体（２Ａ１）と、流路規制具（２Ａ２）からなり、流水路体（２Ａ１）は、左右方向の底板（２Ａ１１）と前後の側壁（２Ａ１２）により断面上向きコ字状に構成されていると共に、当該流水路本体は、下方ケース（１Ｂ）の前方下方ケース（Ｓ１）における後方位置をもって左右の壁（１Ａ３、１Ａ４）を左右方向に貫通する状態で取付けられ、流路規制具（２Ａ２）は、流水路体（２Ａ１）の内周面の下端に左右方向をもって添着された横角柱（２Ａ２１）の左端部分を先細に構成すると共に、横角柱（２Ａ２１）の上面は断面三角状に構成され、石等落下用マンホール（２Ｂ）は、流水路本体（２Ａ）の底板（２Ａ１１）に平面方形の開口として構成され、マンホール開閉スライド板（２Ｃ）は、流水路本体（２Ａ）の底板（２Ａ１１）上に板をスライド自在に配設して構成され、石等飛散防止具（２Ｄ）は、流水路部（２）の下面に石等落下用マンホール（２Ｂ）を挟んで垂下された左右の縦板（２Ｄ１）で構成され、
吹き上げ水供給部（３）は、水門仕切り板部（３Ａ）と吹き上げ水用パイプ（３Ｂ）から構成され、水門仕切り板部（３Ａ）は、石除去機用ケース部（１）の下方ケース（１Ｂ）における後方下方ケース（Ｓ２）の前方位置をもって、左右の壁（１Ａ３、１Ａ４）及び左右の側壁（１Ｂ３、１Ｂ４）間に昇降自在に張設された縦板（３Ａ１）で構成され、吹き上げ水用パイプ（３Ｂ）は、所定寸法のパイプで構成され、石除去機用ケース部（１）内に水門仕切り板部（３Ａ）より後方位置をもって上方から挿入配設され、
掻き取りチェーン部（４）は、上方ケース（１Ａ）内における前端部分に配設された左右の駆動スプロケット（４Ａ）と、上方ケース（１Ａ）内における後方に配設された左右の従動スプロケット（４Ｂ）と、前方下方ケース（Ｓ１）内における下方に配設された左右の従動スプロケット（４Ｃ）と、これらスプロケットに掛け回されたスクレーパ（４Ｄ１）を有するチェーンコンベヤ（４Ｄ）から構成されていることを特徴とする石除去機。    
【請求項５】
左方の給水パイプ（５Ａ）により左方から右方に流水するよう構成された流水送溝（５）の途中に、請求項２ないし請求項４のいずれかに記載の石除去機における流水路部（２）の左右端が連通する状態で装着され、流水送溝（５）における石除去機より左方部分には、左方から原料庫（５Ｂ）、定量送機（５Ｃ）が配設され、流水送溝（５）の右端には搬送スクリュコンベア（６）が連結され、搬送スクリュコンベア（６）の先端には第１芋洗浄機（７）が連結され、第１芋洗浄機（７）には第２芋洗浄機（８）が連結されていることを特徴とする石除去装置。
【発明の詳細な説明】
【技術分野】
【０００１】
本発明は、新規な構成を有する馬鈴薯、甘藷などの原料芋の洗浄時に好適な石除去方法と石除去機と石除去装置に関するものである。
すなわち、原料芋に混入されている石、土砂、鉄片などの比重の重いものを的確に除去しようとするものである。
【背景技術】
【０００２】
従来の石除去機の状態は下記の通りである。
入口樋と出口樋を有する外装樋に分離機体を回転自在に設け、分離機体内には隔壁をもってくみ取り式保水槽を設け、くみ取り式保水槽の回転方向側に石砂用ますを設けるなどして、石砂が混入している根菜類を流送水を介して供給することで分離しようとするものが提供されている。
「特許文献１」参照
【０００３】
【特許文献１】特許第１２２１５７１号明細書
【発明の開示】
【発明が解決しようとする課題】
【０００４】
解決しようとする問題点は、下記の通りである。
１．価格が高価である。
２．据付面積を広くとり設置が難しい。
３．付属機械が必要である。
【課題を解決するための手段】
【０００５】
請求項１記載の発明は、流水送溝内を流水によって移動する原料芋に対して、流水送溝の下面に設けたマンホールより水を吹き上げ、これにより原料芋と石、土砂、鉄片などの比重の重いものを分離し、原料芋をそのまま流水によって移動させ、石、土砂、鉄片などの比重の重いものをマンホールより落下させるよう構成されていることを特徴とするものである。
【０００６】
請求項２記載の発明は、石除去機用ケース部１と、流水路部２と、吹き上げ水供給部３と、掻き取りチェーン部４から構成され、
Ａ．石除去機用ケース部１は、上方ケース１Ａと、上方ケース１Ａの下辺に連設された下方ケース１Ｂから構成され、上方ケース１Ａは、壁をもって平面前後方向に長い方形に連結され、下方ケース１Ｂは、後方下壁１Ｂ１と、底板１Ｂ２と、左右の側壁１Ｂ３、１Ｂ４から構成されていると共に、底板１Ｂ２には、前上方に向け連設された前方傾斜底板１Ｂ２２が設けられ、
Ｂ．流水路部２は、流水路本体２Ａと、石等落下用マンホール２Ｂから構成され、この流水路部２には、流水送溝５が連結され、流水路本体２Ａは、流水路体２Ａ１で構成され、流水路体２Ａ１は、断面上向きコ字状に構成されていると共に、当該流水路本体は、下方ケース１Ｂの左右の壁１Ａ３、１Ａ４を左右方向に貫通する状態で取付けられ、石等落下用マンホール２Ｂは、流水路本体２Ａの底板２Ａ１１に平面方形の開口として構成され、
Ｃ．吹き上げ水供給部３は、水門仕切り板部３Ａと吹き上げ水用パイプ３Ｂから構成され、水門仕切り板部３Ａは、石除去機用ケース部１における後方位置をもって、左右の壁１Ａ３、１Ａ４及び左右の側壁１Ｂ３、１Ｂ４間に張設された縦板３Ａ１で構成され、吹き上げ水用パイプ３Ｂは、所定寸法のパイプで構成され、石除去機用ケース部１内に水門仕切り板部３Ａより後方位置をもって上方から挿入配設され、
Ｄ．掻き取りチェーン部４は、石除去機用ケース部１内に配設されたスクレーパ４Ｄ１を有するチェーンコンベヤ４Ｄにより当該石除去機用ケース部内に散在する石等を上方に掻き揚げ落ち口より排出するよう構成されていることを特徴とするものである。
【０００７】
請求項３記載の発明は、石除去機用ケース部１と、流水路部２と、吹き上げ水供給部３と、掻き取りチェーン部４から構成され、
Ａ．石除去機用ケース部１は、上方ケース１Ａと、上方ケース１Ａの下辺に連設された下方ケース１Ｂから構成され、上方ケース１Ａは、壁をもって平面前後方向に長い方形に連結され、下方ケース１Ｂは、後方下壁１Ｂ１と、底板１Ｂ２と、左右の側壁１Ｂ３、１Ｂ４から構成されていると共に、底板１Ｂ２には、前上方に向け連設された前方傾斜底板１Ｂ２２が設けられ、
Ｂ．流水路部２は、流水路本体２Ａと、石等落下用マンホール２Ｂと、マンホール開閉スライド板２Ｃと、石等飛散防止具２Ｄから構成され、流水路本体２Ａは、流水路体２Ａ１と、流路規制具２Ａ２からなり、流水路体２Ａ１は、断面上向きコ字状に構成されていると共に、当該流水路本体は、下方ケース１Ｂの左右の壁１Ａ３、１Ａ４を左右方向に貫通する状態で取付けられ、流路規制具２Ａ２は、流水路体２Ａ１の内周面の下端に左右方向をもって添着された横角柱２Ａ２１の左端部分を先細に構成すると共に、横角柱２Ａ２１の上面は断面三角状に構成され、石等落下用マンホール２Ｂは、流水路本体２Ａの底板２Ａ１１に平面前後に長い方形の開口として構成され、マンホール開閉スライド板２Ｃは、流水路本体２Ａの底板２Ａ１１上に板をスライド自在に配設して構成され、石等飛散防止具２Ｄは、流水路部２の下面に石等落下用マンホール２Ｂを挟んで垂下された左右の縦板２Ｄ１で構成され、
Ｃ．吹き上げ水供給部３は、水門仕切り板部３Ａと吹き上げ水用パイプ３Ｂから構成され、水門仕切り板部３Ａは、石除去機用ケース部１における後方位置をもって、左右の壁１Ａ３、１Ａ４及び左右の側壁１Ｂ３、１Ｂ４間に昇降自在に張設された縦板３Ａ１で構成され、吹き上げ水用パイプ３Ｂは、所定寸法のパイプで構成され、石除去機用ケース部１内に水門仕切り板部３Ａより後方位置をもって上方から挿入配設され、
Ｄ．掻き取りチェーン部４は、石除去機用ケース部１内に配設されたスクレーパ４Ｄ１を有するチェーンコンベヤ４Ｄにより当該石除去機用ケース部内に散在する石等を上方に掻き揚げ落ち口より排出するよう構成されていることを特徴とするものである。
【０００８】
請求項４記載の発明は、石除去機用ケース部１と、流水路部２と、吹き上げ水供給部３と、掻き取りチェーン部４から構成され、
Ａ．石除去機用ケース部１は、上方ケース１Ａと、上方ケース１Ａの下辺に連設された下方ケース１Ｂから構成され、上方ケース１Ａは、前後の壁１Ａ１、１Ａ２と左右の壁１Ａ３、１Ａ４が平面前後方向に長い方形に連結され、下方ケース１Ｂは、後方下壁１Ｂ１と、底板１Ｂ２と、左右の側壁１Ｂ３、１Ｂ４から構成され、後方下壁１Ｂ１は、後の壁１Ａ２の下辺に連結垂下された縦長の板で構成され、底板１Ｂ２は、後方下壁の下端に連設された後方水平底板１Ｂ２１と、後方水平底板の先端に斜め前上方に向け連設された前方傾斜底板１Ｂ２２から構成され、前方傾斜底板の上端は、上方ケース１Ａにおける左右の壁１Ａ３、１Ａ４の下辺に、当該上方ケースの前方に落ち口１Ｂ５を形成する状態で連結され、左右の側壁１Ｂ３、１Ｂ４は、側面略三角状の板で構成され、後方下壁１Ｂ１と底板１Ｂ２に張設され、下方ケース１Ｂには、底板１Ｂ２における後方水平底板１Ｂ２１と前方傾斜底板１Ｂ２２との接点を通る仮想垂直線Ｓを中心に前方下方ケースＳ１と後方下方ケースＳ２が形成され、
Ｂ．流水路部２は、流水路本体２Ａと、石等落下用マンホール２Ｂと、マンホール開閉スライド板２Ｃと、石等飛散防止具２Ｄから構成され、この流水路部２には、流水送溝５が連結され、流水路本体２Ａは、流水路体２Ａ１と、流路規制具２Ａ２からなり、流水路体２Ａ１は、左右方向の底板２Ａ１１と前後の側壁２Ａ１２により断面上向きコ字状に構成されていると共に、当該流水路本体は、下方ケース１Ｂの前方下方ケースＳ１における後方位置をもって左右の壁１Ａ３、１Ａ４を左右方向に貫通する状態で取付けられ、流路規制具２Ａ２は、流水路体２Ａ１の内周面の下端に左右方向をもって添着された横角柱２Ａ２１の左端部分を先細に構成すると共に、横角柱２Ａ２１の上面は断面三角状に構成され、石等落下用マンホール２Ｂは、流水路本体２Ａの底板２Ａ１１に平面前後に長い方形の開口として構成され、マンホール開閉スライド板２Ｃは、流水路本体２Ａの底板２Ａ１１上に板をスライド自在に配設して構成され、石等飛散防止具２Ｄは、流水路部２の下面に石等落下用マンホール２Ｂを挟んで垂下された左右の縦板２Ｄ１で構成され、
Ｃ．吹き上げ水供給部３は、水門仕切り板部３Ａと吹き上げ水用パイプ３Ｂから構成され、水門仕切り板部３Ａは、石除去機用ケース部１の下方ケース１Ｂにおける後方下方ケースＳ２の前方位置をもって、左右の壁１Ａ３、１Ａ４及び左右の側壁１Ｂ３、１Ｂ４間に昇降自在に張設された縦板３Ａ１で構成され、吹き上げ水用パイプ３Ｂは、所定寸法のパイプで構成され、石除去機用ケース部１内に水門仕切り板部３Ａより後方位置をもって上方から挿入配設され、
Ｄ．掻き取りチェーン部４は、上方ケース１Ａ内における前端部分に配設された左右の駆動スプロケット４Ａと、上方ケース１Ａ内における後方に配設された左右の従動スプロケット４Ｂと、前方下方ケースＳ１内における下方に配設された左右の従動スプロケット４Ｃと、これらスプロケットに掛け回されたスクレーパ４Ｄ１を有するチェーンコンベヤ４Ｄから構成されていることを特徴とするものである。
【０００９】
請求項５記載の発明は、左方の給水パイプ５Ａにより左方から右方に流水するよう構成された流水送溝５の途中に、請求項２ないし請求項４のいずれかに記載の発明における流水路部２の左右端が連通する状態で装着され、流水送溝５における請求項２ないし請求項４のいずれかに記載の発明より左方部分には、左方から原料庫５Ｂ、定量送機５Ｃが配設され、流水送溝５の右端には搬送スクリュコンベア６が連結され、搬送スクリュコンベア６の先端には第１芋洗浄機７が連結され、第１芋洗浄機７には第２芋洗浄機８が連結されていることを特徴とするものである。
【発明の効果】
【００１０】
本発明の利点
１．機械構造が一体型で取扱が簡単である。
２．価格が安く、設備全体の価格を安くすることができる。
３．原料芋の処理量２〜２０ｔｏｎ／ｈｒで行うことが可能である。
４．基礎工事及び据付が簡単で取扱技術も簡単である。
【発明を実施するための最良の形態】
【００１１】
第１発明は石除去方法である。
イは第１発明を具体的に実現する第２発明の石除去機である。
イ１は第２発明の石除去機イを用いた第３発明の石除去装置である。
【実施例１】
【００１２】
第１発明の石除去方法は、流水送溝内を流水によって移動する原料芋に対して、流水送溝の下面に設けたマンホールより水を吹き上げ、これにより原料芋と石、土砂、鉄片などの比重の重いものを分離し、原料芋をそのまま流水によって移動させ、石、土砂、鉄片などの比重の重いものをマンホールより落下させるよう構成されている。
【００１３】
第２発明の石除去機イについて説明する。
石除去機イは、石除去機用ケース部１と、流水路部２と、吹き上げ水供給部３と、掻き取りチェーン部４から構成されている。
Ａ．石除去機用ケース部１は、上方ケース１Ａと、上方ケース１Ａの下辺に連設された下方ケース１Ｂから構成されている。
ａ．上方ケース１Ａは、前後の壁１Ａ１、１Ａ２と左右の壁１Ａ３、１Ａ４が平面前後方向に長い方形に連結されている。
ｂ．下方ケース１Ｂは、後方下壁１Ｂ１と、底板１Ｂ２と、左右の側壁１Ｂ３、１Ｂ４から構成されている。
ｂ１．後方下壁１Ｂ１は、後の壁１Ａ２の下辺に連結垂下された縦長の板で構成され、  ｂ２．底板１Ｂ２は、後方下壁の下端に連設された後方水平底板１Ｂ２１と、後方水平底板の先端に斜め前上方に向け連設された前方傾斜底板１Ｂ２２から構成され、前方傾斜底板の上端は、上方ケース１Ａにおける左右の壁１Ａ３、１Ａ４の下辺に、当該上方ケースの前方に落ち口１Ｂ５を形成する状態で連結されている。
ｂ３．左右の側壁１Ｂ３、１Ｂ４は、側面略三角状の板で構成され、後方下壁１Ｂ１と底板１Ｂ２に張設されている。
ｂ４．下方ケース１Ｂには、底板１Ｂ２における後方水平底板１Ｂ２１と前方傾斜底板１Ｂ２２との接点を通る仮想垂直線Ｓを中心に前方下方ケースＳ１と後方下方ケースＳ２が形成されている。
図中、１Ｃはドレン抜きである。
【００１４】
Ｂ．流水路部２は、流水路本体２Ａと、石等落下用マンホール２Ｂと、マンホール開閉スライド板２Ｃと、石等飛散防止具２Ｄから構成されている。
この流水路部２には、後述の流水送溝５が連結される。
ｂ１．流水路本体２Ａは、流水路体２Ａ１と、流路規制具２Ａ２からなり、流水路体２Ａ１は、左右方向の底板２Ａ１１と前後の側壁２Ａ１２により断面上向きコ字状に構成されていると共に、当該流水路本体は、下方ケース１Ｂの前方下方ケースＳ１における後方位置をもって左右の壁１Ａ３、１Ａ４を左右方向に貫通する状態で取付けられている。
流路規制具２Ａ２は、流水路体２Ａ１の内周面の下端に左右方向をもって添着された横角柱２Ａ２１の左端部分を先細に構成すると共に、横角柱２Ａ２１の上面は断面三角状に構成されている。
ｂ２．石等落下用マンホール２Ｂは、流水路本体２Ａの底板２Ａ１１に平面前後に長い方形の開口として構成されている。
ｂ３．マンホール開閉スライド板２Ｃは、流水路本体２Ａの底板２Ａ１１上に板をスライド自在に配設して構成されている。
２Ｃ１はマンホール開閉スライド板の上面に突設されたつまみ、２Ｃ２はマンホール開閉スライド板の中央に左右方向に刻設された移動用溝、２Ｃ３は流水路本体２Ａの底板２Ａ１１に突設された突起で、移動用溝に遊嵌されている。マンホール開閉スライド板２Ｃの移動は、つまみ２Ｃ１を支持して行う。
ｂ４．石等飛散防止具２Ｄは、流水路部２の下面に石等落下用マンホール２Ｂを挟んで垂下された左右の縦板２Ｄ１で構成されている。
【００１５】
Ｃ．吹き上げ水供給部３は、水門仕切り板部３Ａと吹き上げ水用パイプ３Ｂから構成されている。
ｃ１．水門仕切り板部３Ａは、石除去機用ケース部１の下方ケース１Ｂにおける後方下方ケースＳ２の前方位置をもって、左右の壁１Ａ３、１Ａ４及び左右の側壁１Ｂ３、１Ｂ４間に昇降自在に張設された縦板３Ａ１で構成されている。
３Ａ２は左右の壁１Ａ３、１Ａ４及び左右の側壁１Ｂ３、１Ｂ４の内側に添着された縦ガイドで、この縦ガイドにより縦板３Ａ１は昇降することになる。
ｃ２．吹き上げ水用パイプ３Ｂは、所定寸法のパイプで構成され、石除去機用ケース部１内に水門仕切り板部３Ａより後方位置をもって上方から挿入配設されている。
【００１６】
Ｄ．掻き取りチェーン部４は、上方ケース１Ａ内における前端部分に配設された左右の駆動スプロケット４Ａと、上方ケース１Ａ内における後方に配設された左右の従動スプロケット４Ｂと、前方下方ケースＳ１内における下方に配設された左右の従動スプロケット４Ｃと、これらスプロケットに掛け回されたスクレーパ４Ｄ１を有するチェーンコンベヤ４Ｄから構成されている。
このスクレーパ４Ｄ１は、下方ケース１Ｂの前方傾斜底板１Ｂ２２上に散在する石等を上方に掻き揚げるよう構成されている。
【００１７】
第３発明の石除去装置イ１について説明する。
第２発明の石除去機イを用いたものである。
図１４を参照する。
左方の給水パイプ５Ａにより左方から右方に流水するよう構成された流水送溝５の途中に、石除去機イの流水路部２における左右端が連通する状態で装着されている。
流水送溝５における石除去機イより左方部分には、左方から原料芋が入っている原料庫５Ｂ、定量送機５Ｃが配設されている。
流水送溝５の右端には搬送スクリュコンベア６が連結され、搬送スクリュコンベア６の先端には第１芋洗浄機７が連結され、第１芋洗浄機７には第２芋洗浄機８が連結されている。図中、６Ａは流送水排出穴口である。
【００１８】
作用を説明する。
１．石除去装置を運転する。
２．吹き上げ水を入れる。
すなわち、吹き上げ水を吹き上げ水用パイプ３Ｂから水門仕切り板部３Ａの下端方向に送る。
吹き上げ水は１〜２Ｋ圧位でポンプ圧送されている。
３．吹き上げ水が出る。
すなわち、吹き上げ水は石等落下用マンホール２Ｂから吹き上がる。
４．吹き上げ水が石等落下用マンホール２Ｂより吹き上がる。
原料芋Ｐは、浮び上がり、流送水と一緒に流れる。
石、土砂、鉄片などの比重の重いものＩは、石等落下用マンホール２Ｂより下に落ちる。
５．流水送溝５より原料芋Ｐを流す。
原料芋は、流送水の上方向に浮び上がる。
比重の重いものは、流送水の下方向に流れる。
６．吹き上げ水の調整により原料芋Ｐは浮び上がる。
７．原料芋に混入されている石、土砂、鉄片などの比重の重いものは、石等落下用マンホール２Ｂより下に落ちる。
８．掻き取りチェーン部４により、石、土砂、鉄片などの比重の重いものを掻き上げ、落ち口１Ｂ５より排出する。
９．石除去機用ケース部１の底部に溜った異物は、１週間に１度位ドレン抜き１Ｃから掃き出す。
１０．水門仕切り板部３Ａで水位を調整することで、高い方の水位Ｗは石等落下用マンホール２Ｂより自然に自噴する。
すなわち、石除去機用ケース部１内の水位Ｗより、流水路部２内の水位Ｗ１が低いので自然に自噴することになる。
なお、このポンプ圧送時の圧の決定は、原料芋の３倍位の流送水を流し、流水路部内の水位Ｗ１が流送水の水位Ｗ２より５ｃｍ位上がるのを目安とする。
【図面の簡単な説明】
【００１９】
【図１】第２発明を中心に見た正面図である。
【図２】第２発明を左方から見た斜視図である。
【図３】同上の１部を切欠いた斜視図である。
【図４】Ａ−Ａ線拡大断面図である。
【図５】Ａ−Ａ線拡大断面図である。
【図６】図２の１部を切欠いた斜視図である。
【図７】図２の１部を切欠いた斜視図である。
【図８】Ｂ−Ｂ線拡大断面図である。
【図９】Ｃ−Ｃ線拡大断面図である。
【図１０】Ｄ−Ｄ線拡大断面図である。
【図１１】作用を説明する縦断面図である。
【図１２】作用を説明する縦断面図である。
【図１３】スクレーパを有するチェーンコンベヤの斜視図である。
【図１４】第３発明の正面図である。
【符号の説明】
【００２０】
イ  第２発明の石除去機
１  石除去機用ケース部
２  流水路部
３  吹き上げ水供給部
４  掻き取りチェーン部
イ１  第３発明の石除去装置
【図１】
2005095756.tif 000003
【図２】
2005095756.tif 000004
【図３】
2005095756.tif 000005
【図４】
2005095756.tif 000006
【図５】
2005095756.tif 000007
【図６】
2005095756.tif 000008
【図７】
2005095756.tif 000009
【図８】
2005095756.tif 000010
【図９】
2005095756.tif 000011
【図１０】
2005095756.tif 000012
【図１１】
2005095756.tif 000013
【図１２】
2005095756.tif 000014
【図１３】
2005095756.tif 000015
【図１４】
2005095756.tif 000016